(57)【要約】【課題】水蒸気を発生する発熱組成物を有する加湿体であって、顔面にフィットしやすく、顔面と加湿体との間の湿度を長時間高く保てるようにする。【解決手段】発熱組成物を有する内方発熱体３，３の間に、可撓帯となる中央非発熱帯部２が設けられ、内方発熱領域３，３と外方発熱領域５，５との間に、可撓帯となる側方非発熱帯部４，４が設けられている。前記可撓帯が変形することにより、加湿体１が顔面にフィットしやすくなる。そして、内方発熱領域３，３と外方発熱領域５，５から発せられる水蒸気により顔面を保湿状態にできる。【選択図】    図４
2004358110.tif 000002
【特許請求の範囲】
【請求項１】
肌側に向けられる透湿性の肌側表面シートと、外側に向けられる外側表面シートと、発熱組成物とを有する加湿体において、
縦方向中心線を介して左右対称形状またはほぼ対称形状であり、前記縦方向中心線に沿う中央非発熱帯部と、前記中央非発熱帯部の左右両側に位置する一対の内方発熱領域と、前記内方発熱領域の左右両外側に位置してそれぞれが前記中央非発熱帯部と平行または非平行で縦方向に延びる側方非発熱帯部と、前記側方非発熱帯部のさらに左右両外側に位置する外方発熱領域とを有し、
前記内方発熱領域および外方発熱領域では、前記肌側表面シートと前記外側表面シートとの間に、蒸気を発生する発熱組成物が介在し、前記中央非発熱帯部と前記側方非発熱帯部には前記発熱組成物が存在しておらず、
前記肌側表面シートが顔面に向けられ且つ前記中央非発熱帯部が顔面の中心に縦向きに設置されて、前記中央非発熱帯部と前記側方非発熱帯部を介して前記顔面の形状に倣って変形可能とされたことを特徴とする顔面装着用の加湿体。
【請求項２】
外周縁は、前記縦方向中心線から左右両側に向けて突曲線状に形成されており、横方向中心線よりも上側部分の面積が、横方向中心線よりも下側部分の面積よりも大きい請求項１記載の顔面装着用の加湿体。
【請求項３】
前記中央非発熱帯部および側方非発熱帯部で、少なくとも前記肌側表面シートと外側表面シートとが接合されており、外周縁の全長に沿う所定幅の外周帯部においても、少なくとも前記肌側表面シートと外側表面シートとが接合されている請求項１または２記載の顔面装着用の加湿体。
【請求項４】
前記側方非発熱帯部の左右両側で且つ前記側方発熱領域よりも下側に、少なくとも前記肌側表面シートと外側表面シートとが接合されて横方向に延びる横方向帯部が設けられており、前記側方発熱領域の下側には、前記横方向帯部と前記外周帯部とで囲まれて前記発熱組成物が存在していない非発熱領域が設けられている請求項１ないし３のいずれかに記載の顔面装着用の加湿体。
【請求項５】
前記発熱組成物と前記肌側表面シートの間に、表裏面を貫通する蒸気経路および内部に形成された独立気泡を有する発泡樹脂シートが配置されている請求項１ないし４のいずれかに記載の顔面装着用の加湿体。
【請求項６】
前記発熱組成物は、金属粉と塩類と保水剤および水分とを含む請求項１ないし５のいずれかに記載の顔面装着用の加湿体。
【請求項７】
前記発熱組成物は、金属粉の酸化を促進する炭素を含む請求項６記載の顔面装着用の加湿体。
【発明の詳細な説明】
【０００１】
【発明の属する技術分野】
本発明は、顔面に装着した状態で顔面に蒸気を与えて、顔面を保湿する効果を発揮する顔面装着用の加湿体に関する。
【０００２】
【従来の技術】
以下の特許文献１には、人体の皮膚に水蒸気を供給する水蒸気発生体に関する発明が開示されている。この水蒸気発生体は、金属粉の酸化反応に伴って水蒸気を放出する水蒸気発生組成物を含み、前記水蒸気発生組成物の肌側に温度調節材と透湿性シートとが配置されている。前記温度調節材は、不織布や紙あるいは穿孔された発泡樹脂などで形成されており、前記水蒸気発生組成物から放出された水蒸気が、前記温度調節材で低温化され、透湿性シートを透過して皮膚に供給されるものとなっている。
【０００３】
また、以下の特許文献２と特許文献３には、身体の皮膚表面に設置される使い捨てカイロおよび温熱貼付剤に関する発明が開示されている。
【０００４】
これらの発明は、伸縮性のシートで形成され、または一部が伸縮性のシートで形成された扁平状の袋体の内部に、金属紛の酸化反応によって発熱する発熱組成物が分割されて収納されている。また前記袋体は粘着層を介して皮膚表面に接着可能とされている。これら使い捨てカイロや温熱貼付剤は、人体の関節部分に貼着され、前記発熱組成物から発せられる熱で関節部分を加温できるとともに、発熱組成物が分割されているため、関節の曲げ動作が容易になっている。
【０００５】
【特許文献１】
特許第３０４９７０７号
【特許文献２】
特開平７−２１３５４９号
【特許文献３】
特開平８−２３１３８６号
【０００６】
【発明が解決しようとする課題】
前記特許文献１には、水蒸気発生組成物から発せられた水蒸気を、頭皮、肩、頚、顔、臀部、足、手、腕等の身体部分の皮膚や、目、鼻、喉等の粘膜に与えることが記載されている。しかし、前記水蒸気発生体を顔面に配置する場合に、どのような形状にしたら顔面にフィットするかとの観点については記載されていない。
【０００７】
また、特許文献２と特許文献３には、発熱組成物を分割して設けることが記載されているが、これはあくまでも人体の関節部分に貼着し、関節部分の曲げに追従できるようにしたものであり、顔面に加湿体を設置した場合に、顔面の形状に倣いやすくしたものではない。
【０００８】
本発明は上記従来の課題を解決するものであり、顔面に設置したときに、外面の形状に倣いやすく、また顔面に放出された蒸気が外部に逃げにくくして、加湿効果を高めることができる顔面装着用の加湿体を提供することを目的としている。
【０００９】
【課題を解決するための手段】
本発明の顔面装着用の加湿体は、肌側に向けられる透湿性の肌側表面シートと、外側に向けられる外側表面シートと、発熱組成物とを有する加湿体において、
縦方向中心線を介して左右対称形状またはほぼ対称形状であり、前記縦方向中心線に沿う中央非発熱帯部と、前記中央非発熱帯部の左右両側に位置する一対の内方発熱領域と、前記内方発熱領域の左右両外側に位置してそれぞれが前記中央非発熱帯部と平行または非平行で縦方向に延びる側方非発熱帯部と、前記側方非発熱帯部のさらに左右両外側に位置する外方発熱領域とを有し、
前記内方発熱領域および外方発熱領域では、前記肌側表面シートと前記外側表面シートとの間に、蒸気を発生する発熱組成物が介在し、前記中央非発熱帯部と前記側方非発熱帯部には前記発熱組成物が存在しておらず、
前記肌側表面シートが顔面に向けられ且つ前記中央非発熱帯部が顔面の中心に縦向きに設置されて、前記中央非発熱帯部と前記側方非発熱帯部を介して前記顔面の形状に倣って変形可能とされたことを特徴とするものである。
【００１０】
本発明の顔面装着用の加湿体は、中央非発熱帯部および側方非発熱帯部を介して変形しやすくなっている。よって、発熱組成物が酸化反応によって硬くなったとしても、前記非発熱帯部を介して、加湿体が顔面の形状に応じて肌側が凹形状となるように変形できる。そのため、加湿体と顔面との間に放出された水蒸気が外部に逃げ難くなり、顔面の皮膚に対する保湿効果を長時間良好に発揮できる。
【００１１】
また本発明は、外周縁は、前記縦方向中心線から左右両側に向けて突曲線状に形成されており、横方向中心線よりも上側部分の面積が、横方向中心線よりも下側部分の面積よりも大きいものである。
【００１２】
加湿体の外周縁が左右両側に向けて突曲線形状であり、且つ上側部分の面積が大きいことにより、顔面の頬の部分にフィットしやすく、また下側部分の面積が小さいので、口から顎にかけてフィットしやすい。
【００１３】
また、本発明は、前記中央非発熱帯部および側方非発熱帯部で、少なくとも前記肌側表面シートと外側表面シートとが接合されており、外周縁の全長に沿う所定幅の外周帯部においても、少なくとも前記肌側表面シートと外側表面シートとが接合されているものである。
【００１４】
前記加湿体では、発熱組成物を有しない所定幅の軟質な外周帯部が外周縁に沿って設けられているため、この外周帯部が顔面の形状に沿って変形しやすくなる。よって加湿体の外周縁と顔面との間に隙間が形成されにくく、蒸気が外部に逃げ難くなる。
【００１５】
さらに本発明は、前記側方非発熱帯部の左右両側で且つ前記側方発熱領域よりも下側に、少なくとも前記肌側表面シートと外側表面シートとが接合されて横方向に延びる横方向帯部が設けられており、前記側方発熱領域の下側には、前記横方向帯部と前記外周帯部とで囲まれて前記発熱組成物が存在していない非発熱領域が設けられている。
【００１６】
側方発熱領域の下に発熱組成物を有しない非発熱領域が設けられていると、比較的柔らかい非発熱領域が頬の下に対向し、この非発熱領域が頬の下側の窪み形状などに沿って変形しやすくなる。よって、頬と加湿体との間に余分な空間が形成されず、頬と加湿体との間から蒸気が逃げにくくなる。
【００１７】
また、本発明は、前記発熱組成物と前記肌側表面シートの間に、表裏面を貫通する蒸気経路および内部に形成された独立気泡を有する発泡樹脂シートが配置されていることが好ましい。
【００１８】
この発泡樹脂シートは、発熱組成物から放出される水蒸気の温度を低下させる断熱材として機能し、適温の蒸気が皮膚に与えられる。また発泡樹脂シートに蒸気経路が形成されていると、多くの蒸気が顔面に向けて放出され、また加湿体を密閉包装から取り出したときに、前記蒸気経路を経て多くの酸素が発熱組成物に与えられ、発熱組成物が短い時間で所定温度までの上昇できるようになる。
【００１９】
本発明では、例えば前記発熱組成物は、金属粉と塩類と保水剤および水分とを含むものである。
【００２０】
保水剤を含むことにより、水分を長時間保持でき、蒸気を長時間与え続けることが可能である。
【００２１】
さらに本発明は、前記発熱組成物は、金属粉の酸化を促進する炭素を含むものである。
【００２２】
炭素を含むと金属紛の酸化が促進され、発熱組成物が長い時間適温を保てるようになる。
【００２３】
【発明の実施の形態】
図１は本発明の実施の形態である使い捨て可能な顔面装着用の加湿体を、顔面に向けられる肌側から見た背面図、図２は図１のＩＩ−ＩＩ矢視の断面図、図３は発熱領域の断面の拡大図、図３は前記加湿体が顔面に装着された状態を示す正面図である。
【００２４】
図１に示す加湿体１は、左右を二分する縦方向中心線Ｏｙ−Ｏｙを介して左右対称形状であり、上下を二分する横方向中心線Ｏｘ−Ｏｘを介して上下に非対称形状である。
【００２５】
この加湿体１は、縦方向中心線Ｏｙ−Ｏｙに沿って中央非発熱帯部２が設けられている。この中央非発熱帯部２は一定の幅寸法で直線状に形成されている。前記中央非発熱帯部２の左右外側には内方発熱領域３，３が設けられ、さらに外左右外側には縦方向に延びる側方非発熱帯部４，４が設けられている。この実施の形態では、前記側方非発熱帯部４，４は中央非発熱帯部２と平行であり、所定の幅寸法で縦方向に向けて直線状に設けられている。ただし、前記側方非発熱帯部４，４は、前記中央非発熱帯部２と非平行に直線状に形成されていてもよく、または前記中央非発熱帯部２と非平行で曲線形状となるように形成されていてもよい。
【００２６】
それぞれの側方非発熱帯部４，４の左右両外側で且つ上方領域に、外方発熱領域５，５が設けられている。前記外方発熱領域５，５の下で、且つ前記側方非発熱帯部４，４の外側には、非発熱領域６，６が設けられている。
【００２７】
加湿体１の周縁部の形状は、縦方向中心線Ｏｙ−Ｏｙ上に位置する上端８ａを起点として、左右に緩やかな突曲線に沿って延びる上方縁部７ａ，７ａと、左右両外側に向けられて前記上方縁部７ａ，７ａよりも小さな曲率半径Ｒ１の突曲線となる側方縁部７ｂ，７ｂと、前記側方縁部７ｂ，７ｂよりも大きな曲率半径Ｒ２の突曲線で、縦方向中心線Ｏｙ−Ｏｙ上に位置する下端８ｂに向かう下方縁部７ｃ，７ｃとを有している。
【００２８】
そして、加湿体１は、横方向中心線Ｏｘ−Ｏｘよりも上側部分の面積が、横方向中心線Ｏｘ−Ｏｘよりも下側部分の面積よりも大きい。
【００２９】
前記上方縁部７ａ，７ａ、側方縁部７ｂ，７ｂおよび下方縁部７ｃ，７ｃに沿って全周に所定の幅寸法の外周帯部１０が形成されている。また、外方発熱領域５，５と非発熱領域６，６との間に、横方向に延びる横方向帯部１１，１１が形成されている。
【００３０】
前記内方発熱領域３，３は、中央非発熱帯部２と側方非発熱帯部４、および上下に位置する外周帯部１０，１０に囲まれている。前記外方発熱領域５，５は、側方非発熱帯部４と外周帯部１０および横方向帯部１１に囲まれている。また非発熱領域６は、外周帯部１０と側方非発熱帯部４および横方向帯部１１に囲まれている。
【００３１】
図２の断面図に示すように、前記加湿体１は、顔面に向けられる肌側に、透湿性の肌側表面シート２１が設けられ、外側には、非透湿性の外側表面シート２２が設けられている。前記内方発熱領域３，３および外方発熱領域５，５では、外側表面シート２２の内側に、水蒸気を発生する発熱組成物２３が設けられている。前記発熱組成物２３よりも肌側には、透湿性であって、発熱組成物２３が洩れ出るのを防止する内側シート２４が設けられ、この内側シート２４と肌側表面シート２１との間に断熱材２５が設けられている。
【００３２】
前記発熱組成物２３は、前記内方発熱領域３，３と外方発熱領域５，５にのみ設けられている。前記肌側表面シート２１、外側表面シート２２、内側シート２４および断熱材２５は、全て加湿体１の全体形状と同じ形状である。そして、中央非発熱帯部２、側方非発熱帯部４，４、外周帯部１０および横方向帯部１１では、発熱組成物２３が存在せずに、肌側表面シート２１、外側表面シート２２、内側シート２４および断熱材２５が重ねられて接合されている。
【００３３】
前記肌側表面シート２１、外側表面シート２２、内側シート２４および断熱材２５は、ホットメルト接着剤を介在させた状態で加圧されて接着されている。あるいは、前記各素材が熱可塑性樹脂を含んでいる場合には、前記各帯部２，４，１０，１１において、前記各素材が加熱され且つ加圧されて熱融着されている。また、前記非発熱領域６，６では、肌側表面シート２１、外側表面シート２２、内側シート２４および断熱材２５が、互いに接着されることなく重ねられている。
【００３４】
したがって、前記中央非発熱帯部２と側方非発熱帯部４，４が可撓帯として機能し、あるいは各非発熱帯部２，４，４の両側縁部が可撓線として機能している。同様に横方向帯部１１，１１も前記可撓帯または可撓線として機能している。
【００３５】
前記肌側表面シート２１は、レーヨンとパルプ、またはレーヨンとコットンなどで形成されたスパンレース不織布、または蒸気を通過する微小孔が形成されたポリエチレンやポリプロピレンなどの樹脂フィルムなどである。
【００３６】
外側表面シート２２は、非透湿性の樹脂フィルムであり、ポリエチレンフィルムやポリプロピレンフィルムなどである。またはエアーバリヤー機能を有するエチレン・ビニルアルコール共重合体（ＥＶＯＨ）や塩化ビニリデン（ＰＶＤＣ）の単層またはこれらを含む多層フィルムなども使用可能である。あるいは、外側表面シート２２は、前記非透湿性の樹脂フィルムの外面にスパンレース不織布などが積層されて外観を良好にしたものであってもよい。また、前記外側表面シート２２が、透湿性の樹脂フィルムや透湿性の不織布であってもよい。ただし、顔面に向けて水蒸気を効果的に放出するためには、前記外側表面シート２２が非透湿性であることが好ましい。
【００３７】
前記発熱組成物２３は、金属粉と、前記金属粉を腐食させて酸化させるための塩類、および水を含んでいる。さらに水分を長時間保持できるように保湿剤を含み、また金属分の酸化を促進させる炭素を含んでいる。前記金属紛は、鉄、アルミニウム、亜鉛などである。前記塩類は、塩化ナトリウム、塩化カリウム、塩化カルシウム、塩化マグネシウムなどである。前記保湿材は、バーミキュライト、珪酸カルシウム、シリカゲル、シリカなどである。また前記炭素は、活性炭、カーボンブラック、黒鉛などである。
【００３８】
前記内側シート２４は透湿性シートであり、前記外側表面シート２２の内側で、前記発熱組成物２３を形成する各剤が洩れるのを防止している。この内側シート２４は、スパンボンド不織布、メルトブローン不織布、またはスパンボンド不織布／メルトブローン不織布／スパンボンド不織布の順に積層された複合不織布などである。
【００３９】
前記断熱材２５は、空気を含んで断熱性を有し且つ発熱組成物２３から放出された水蒸気を透過させるものである。この実施の形態では、前記断熱材が発泡樹脂シートで形成されている。図３に示すように、この発泡樹脂シートは、内部に多数の独立気泡２５ａを有しており、また表裏を貫通する蒸気経路２５ｂが多数形成されている。
【００４０】
前記発泡樹脂シートは、例えば発泡ポリエチレンシート、発泡ポリプロピレンシート、発泡ウレタンシートなどであり、発泡倍率が２０〜３０倍であり、直径が０．１ｍｍ〜５ｍｍの開孔部が、開孔面積率５％〜６０％の範囲で形成されて、この開口部が前記蒸気経路２５ｂとして機能している。
【００４１】
なお、前記断熱材２５として、複数のスパンレース不織布の積層体や、スパンレース不織布と紙との積層体などを使用してもよい。
【００４２】
図２に示すように、内方発熱領域３，３、外方発熱領域５，５および非発熱領域６，６は、肌側表面シート２１および外側表面シート２２が外側に向けてやや凸形状となっている。そのため、顔面に装着したときに、皮膚と前記肌側表面シート２１との間に、常に適度な空間が形成できるようになっている。
【００４３】
図４に示すように、前記加湿体１は、中央非発熱帯部２が顔面の中心軸、すなわち鼻筋に一致するようにして、顎、頬および鼻を覆うようにして装着される。この装着状態では、中央非発熱帯部２および側方非発熱帯部４，４が可撓帯として機能し、加湿体はこの可撓帯を介して容易に曲げられるため、両側の側方非発熱帯部４と側方非発熱帯部４との間の部分が、鼻筋および鼻の両側部にフィットしやすい。また、横方向帯部１１，１１も可撓帯として機能するため、外方発熱領域５，５および非発熱領域６，６が頬の上から下までの形に追従して変形し、両頬にフィットしやすくなる。
【００４４】
また、外周帯部１０も柔軟であるため、この外周帯部１０が顔面に当たっても違和感を感じにくい。また外周帯部１０が顔面の凹凸形状に倣うようになり、顔面と肌側表面シート２１との間の空間を密閉しやすくなる。
【００４５】
前記加湿体１は、側方縁部７ｂ，７ｂから両側に伸縮性の紐や細帯を延ばして耳に掛けるように保持していもよい、図４に示すように装着された加湿体１の外側を既存のマスクで覆って保持してもよい。あるいは、外周帯部１０の肌側内面に粘着剤層を設けて前記外周帯部１０を顔面に接着してもよい。あるいは、図４の状態で、皮膚への加湿が終了するまで、加湿体１を手で押さえていてもよい。
【００４６】
この加湿体１は、透湿性のフィルムなどで形成された密封袋内に封入されている。使用時に、前記袋を開封して加湿体１を取り出し、図４に示すように顔面に装着する。加湿体１が袋から取り出されて空気に触れると、空気が肌側表面シート２１および断熱材２５を経て発熱組成物２３に供給され、金属紛の酸化反応により発熱し、発熱組成物２３に含まれている水分および保湿剤に含まれている水分が水蒸気となる。この水蒸気が、断熱材２５の蒸気経路２５ｂを通過し、肌側表面シート２１を透過して顔面に与えられる。
【００４７】
ここで、断熱材２５は断熱機能を発揮するため、発熱組成物２３から発せられる熱が断熱されて、顔面と加湿体１との隙間の温度が高くなりすぎるのを防止でき、好ましくは５０℃以下に調整される。そのため、顔面に蒸気が与えられた状態で、顔面の皮膚が熱すぎると感じるのを防止できる。
【００４８】
前述のように、加湿体１は顔面にフィットしやすく、顔面と加湿体１の間の湿度を、前記水蒸気により高く維持できるため、皮膚の保湿効果を発揮でき、また皮膚の血行を促進し、美顔効果や皮膚の清浄効果を期待できる。
【００４９】
また、前記加湿体１の発熱組成物２３の内部、または内側シート２４と断熱材２５との間、あるいは断熱材２５と肌側表面シートの間に、さらに保湿剤を配置してもよいし、また、前記加湿体１の発熱組成物２３の内部、または内側シート２４と断熱材２５との間、あるいは断熱材２５と肌側表面シートの間に、化粧水や芳香剤などを含ませてもよい。
【００５０】
次に、前記加湿体１の好ましい寸法であるが、最大幅寸法Ｗ１は１８０〜３００ｍｍ、縦方向の長さ寸法Ｈは、１００〜２００ｍｍである。ただし本発明は前記寸法に限定されるものではない。
【００５１】
前記加湿体１では、発熱組成物２３が酸化反応により発熱すると、発熱組成物を構成する各素材が凝集し、内方発熱領域３，３と外方発熱領域５，５が硬くなる。しかし、中央非発熱帯部２と側方非発熱帯部４との中心線間の幅寸法Ｗ２を最適な寸法に設定することにより、図４に示すように、加湿体１が顔面の鼻にフィットしやすくなる。
【００５２】
そこで、実際に製造した図１に示す加湿体を用いて、フィット性の実験を行った。加湿体１の寸法は、最大幅寸法Ｗ１を２３０ｍｍ、縦方向の長さ寸法Ｈを１３５ｍｍ、側方縁部７ｂの曲率半径Ｒ１を２０ｍｍ、下方縁部７ｃの曲率半径Ｒ２を６５ｍｍとした。
【００５３】
中央非発熱帯部２と側方非発熱帯部４との中心線間の幅寸法Ｗ２が１０ｍｍ、２０ｍｍ、４０ｍｍ、６０ｍｍ、７０ｍｍのものを別々に製造し、１０名の女性に顔面に当てさせてそのフィット性の官能試験を行った。フィットするとの評価を「◎」、ほぼフィットするとの評価を「○」、どちらともいえないとの評価を「△」、フィットしないとの評価を「×」とした。試験結果は、
１０ｍｍ・・・△と評価した者が５名、×と評価した者が５名
２０ｍｍ・・・○と評価した者が８名、△と評価した者が２名
４０ｍｍ・・・◎と評価した者が８名、○と評価した者が２名
６０ｍｍ・・・○と評価した者が７名、△と評価した者が３名
７０ｍｍ・・・△と評価した者が５名、×と評価した者が５名
以上から、中央非発熱帯部２と側方非発熱帯部４との中心線間の幅寸法Ｗ２は１５〜６５ｍｍの範囲が好ましく、さらに好ましくは２０〜６０ｍｍである。また、中央非発熱帯部２と側方非発熱帯部４とが非平行な場合は、その中心間の平均幅寸法の好ましい範囲が前記の通りである。
【００５４】
【発明の効果】
以上のように本発明によれば、水蒸気を発生する発熱組成物を有する加湿体が顔面に密着しやすくなり、また顔面と加湿体との間の蒸気が外部に逃げ難く、顔面を常に保湿状態に保ちやすくなる。
【図面の簡単な説明】
【図１】本発明の加湿体の実施の形態を肌側から示す背面図、
【図２】図１のＩＩ−ＩＩ矢視の断面図、
【図３】発熱領域の拡大断面図、
【図４】図１に示す加湿体が顔面に装着された状態を示す正面図、
【符号の説明】
１  加湿体
２  中央非発熱帯部
３  内方発熱領域
４  側方非発熱帯部
５  外方発熱領域
６  非発熱領域
７ａ  上方縁部
７ｂ  側方縁部
７ｃ  下方縁部
１０  外周帯部
１１  横方向帯部
２１  肌側表面シート
２２  外側表面シート
２３  発熱組成物
２４  内側シート
２５  断熱材
【図１】
2004358110.tif 000003
【図２】
2004358110.tif 000004
【図３】
2004358110.tif 000005
【図４】
2004358110.tif 000006